(57)【要約】【課題】表示装置の基板に設けられたドライバの破損を抑制できる携帯端末装置を提供する。【解決手段】携帯電話機１は、第２筐体５内に配置され、背面部５ｂに対向する表示面３１ａを有するサブ表示装置３１と、サブ表示装置３１の筐体内部側への荷重を支持するホルダ４５とを有し、サブ表示装置３１は、背面部５ｂに対向し、表示面３１ａに重なる第１領域部６９ａ及び第１領域部６９ａに並ぶ第２領域部６９ｂを有する第１ガラス基板６９を有し、表示面３１ａを構成する表示パネル６３と、第１ガラス基板６９の第２領域部６９ｂに設けられ、表示パネル６３を駆動するドライバ６５とを有し、ホルダ４５は、第２領域部６９ｂが第１領域部６９ａよりも筐体内部側へ変位可能となるように、表示パネル６３を支持している。【選択図】図２
2008294651.tif 000002
【特許請求の範囲】
【請求項１】
透光性の領域が形成された透光面部を有する筐体と、
前記筐体内に配置され、前記透光面部に対向する表示面を有する表示装置と、
前記表示装置の前記透光面部側から筐体内部側への荷重を支持する支持部材と、
を有し、
前記表示装置は、
前記透光面部に対向し、前記表示面に重なる第１領域部及び当該第１領域部に並び前記表示面の外側に位置する第２領域部を有する基板を有し、前記表示面を構成する表示パネルと、
前記基板の前記第２領域部に設けられ、前記表示パネルを駆動するドライバと、
を有し、
前記支持部材は、前記第２領域部が前記第１領域部よりも前記筐体内部側へ変位可能となるように、前記表示パネルを支持している
携帯端末装置。
【請求項２】
前記支持部材は、前記表示パネルの、前記第１領域部側の部分のみを支持している
請求項１に記載の携帯端末装置。
【請求項３】
前記支持部材は、前記表示パネルの外周部のうち、前記第１領域部の外周となる部分を支持する外周支持部を有する
請求項２に記載の携帯端末装置。
【請求項４】
前記透光面部側から前記表示装置側の方向へ見て前記ドライバの中央側部分に位置し、前記表示装置の前記表示面とは反対側に当接する対向支持部材を有する
請求項１〜３のいずれか１項に記載の携帯端末装置。
【請求項５】
前記ドライバは、前記基板に沿う方向であって前記第１領域部と前記第２領域部との配列方向に直交する方向に延設され、
前記支持部材は、前記表示装置の、前記ドライバが延設される方向の両側且つ前記筐体内部側に空隙が形成されるように、前記表示パネルを支持している
請求項１〜４のいずれか１項に記載の携帯端末装置。
【請求項６】
前記ドライバは、前記基板の前記筐体内部側に設けられている
請求項１〜５のいずれか１項に記載の携帯端末装置。
【請求項７】
透光性の領域が形成された透光面部を有する筐体と、
前記筐体内に配置され、前記透光面部に対向する表示面を有する表示装置と、
前記表示装置の前記表示面とは反対側に対向し、前記透光面部とで前記表示装置を挟持する支持板と、
を有し、
前記表示装置は、
前記透光面部に対向し、前記表示面に重なる第１領域部及び当該第１領域部に並び前記表示面の外側に位置する第２領域部を有する基板を有し、前記表示面を構成する表示パネルと、
前記基板の前記第２領域部に設けられたＩＣと、
を有し、
前記支持板と前記表示装置との間には、前記透光面部側から前記表示装置側の方向へ見て前記ＩＣの中央側部分に位置する対向支持部材が介在している
携帯端末装置。
【発明の詳細な説明】
【技術分野】
【０００１】
本発明は、携帯電話機、デジタルカメラ、ＰＤＡ、ノートパソコン、ゲーム機等の携帯端末装置に関する。
【背景技術】
【０００２】
いわゆるＣＯＧ（Ｃｈｉｐ  Ｏｎ  Ｇｌａｓｓ）式の表示装置が知られている（例えば特許文献１）。ＣＯＧ式の表示装置では、表示パネルを構成するガラス基板に、表示パネルの画素部を駆動する、ＩＣ（Ｉｎｔｅｇｒａｔｅｄ  Ｃｉｒｃｕｉｔ）により構成されたドライバが配置される。
【０００３】
また、表示装置を有する携帯端末装置が知られており、表示装置の筐体における保持方法も種々提案されている。特許文献２では、弾性部材により構成されたホルダにより表示装置の全周を支持する支持構造が開示されている。
【特許文献１】特開２００６−１３３８０４号公報
【特許文献２】特開２００１−１６６６９８号公報
【発明の開示】
【発明が解決しようとする課題】
【０００４】
ＩＣは、硬度が高いため、曲げモーメントに対して脆い性質を有している。従って、筐体に荷重が加えられると、筐体を介してＩＣにも荷重が加えられ、ＩＣが破損するおそれがある。
【０００５】
例えば、ＣＯＧ式の表示装置を、特許文献２の支持構造により支持した場合には、筐体外部側から内部側への荷重が加えられると、筐体の曲げに伴ってガラス基板も撓む。具体的には、ガラス基板は、ホルダにより両端支持の状態となり、中央側が両端側に対して筐体内側に撓む。そして、ガラス基板の撓みに伴ってＩＣにも曲げモーメントが加わり、ＩＣが破損するおそれがある。
【０００６】
また、例えば、ＩＣがガラス基板に対して筐体内部側に配置され、ＩＣの筐体内部側に板金や回路基板が配置されている場合には、板金や回路基板がＩＣ側を凹として撓み、ＩＣの両端に当接する。この場合もＩＣが両端支持の状態になり、ＩＣが破損するおそれがある。
【０００７】
特に、携帯端末装置では、薄型化のために筐体の内面に表示装置を近づけて配置することから、筐体からの荷重が表示装置のＩＣに加えられやすい。
【０００８】
本発明の目的は、表示装置の基板に設けられたドライバ及び／又はＩＣの破損を抑制できる携帯端末装置を提供することにある。
【課題を解決するための手段】
【０００９】
本発明の携帯端末装置は、透光性の領域が形成された透光面部を有する筐体と、前記筐体内に配置され、前記透光面部に対向する表示面を有する表示装置と、前記表示装置の前記透光面部側から筐体内部側への荷重を支持する支持部材と、を有し、前記表示装置は、前記透光面部に対向し、前記表示面に重なる第１領域部及び当該第１領域部に並び前記表示面の外側に位置する第２領域部を有する基板を有し、前記表示面を構成する表示パネルと、前記基板の前記第２領域部に設けられ、前記表示パネルを駆動するドライバと、を有し、前記支持部材は、前記第２領域部が前記第１領域部よりも前記筐体内部側へ変位可能となるように、前記表示パネルを支持している。
【００１０】
好適には、前記支持部材は、前記表示パネルの、前記第１領域部側の部分のみを支持している。
【００１１】
好適には、前記支持部材は、前記表示パネルの外周部のうち、前記第１領域部の外周となる部分を支持する外周支持部を有する。
【００１２】
好適には、前記透光面部側から前記表示装置側の方向へ見て前記ドライバの中央側部分に位置し、前記表示装置の前記表示面とは反対側に当接する対向支持部材を有する。
【００１３】
好適には、前記ドライバは、前記基板に沿う方向であって前記第１領域部と前記第２領域部との配列方向に直交する方向に延設され、前記支持部材は、前記表示装置の、前記ドライバが延設される方向の両側且つ前記筐体内部側に空隙が形成されるように、前記表示パネルを支持している。
【００１４】
好適には、前記ドライバは、前記基板の前記筐体内部側に設けられている。
【００１５】
本発明の第２の観点の携帯端末装置は、透光性の領域が形成された透光面部を有する筐体と、前記筐体内に配置され、前記透光面部に対向する表示面を有する表示装置と、前記表示装置の前記表示面とは反対側に対向し、前記透光面部とで前記表示装置を挟持する支持板と、を有し、前記表示装置は、前記透光面部に対向し、前記表示面に重なる第１領域部及び当該第１領域部に並び前記表示面の外側に位置する第２領域部を有する基板を有し、前記表示面を構成する表示パネルと、前記基板の前記第２領域部に設けられたＩＣと、を有し、前記支持板と前記表示装置との間には、前記透光面部側から前記表示装置側の方向へ見て前記ＩＣの中央側部分に位置する対向支持部材が介在している。
【発明の効果】
【００１６】
本発明によれば、表示装置の基板に設けられたドライバ及び／又はＩＣの破損を抑制できる。
【発明を実施するための最良の形態】
【００１７】
図１は、本発明の実施形態に係る携帯端末装置の一例である電子機器としての携帯電話機１の外観を示す図であり、図１（ａ）は正面図、図１（ｂ）は背面図、図１（ｃ）は側面図である。
【００１８】
携帯電話機１は、いわゆる折り畳み式の携帯電話機として構成されており、開閉可能に連結された第１筐体３及び第２筐体５を備えている。なお、図１は、開状態を示している。また、第１筐体３及び第２筐体５は、連結部７により連結されている。第１筐体３及び第２筐体５は、回転軸ＲＡ（図１（ａ））回りに回転可能である。
【００１９】
第１筐体３及び第２筐体５は、携帯電話機１全体の筐体を構成している。第１筐体３及び第２筐体５は、例えば、概ね同様の形状に形成されており、閉状態では互いに重ねあわされて互いの輪郭が略一致する。第１筐体３及び第２筐体５は、例えば、薄型直方体状に形成されている。
【００２０】
以下では、開状態における第１筐体３及び第２筐体５の配列方向（図１の紙面上下方向）を長さ方向、当該長さ方向に直交する方向を幅方向ということがある。
【００２１】
第１筐体３には、例えば、通話用のマイクロフォン１１７（図７参照）の収音孔９（図１（ａ））、着信音等を出力する報知用のスピーカ１１５（図７参照）の放音孔１１（図１（ｂ））、ユーザの操作を受け付ける操作部１３（図１（ａ））、撮像を行う撮像部１５（図１（ｂ））が設けられている。
【００２２】
第２筐体５には、例えば、通話用のスピーカ３３（図２参照）の放音孔１７（図１（ａ））、図形や文字情報等を含む画像を表示するメイン表示部１９（図１（ａ））及びサブ表示部２１（図１（ｂ））が設けられている。メイン表示部１９は、第２筐体５のうち、閉状態において第１筐体３に対向する対向面部５ａにおいて画像を表示する。サブ表示部２１は、第２筐体５のうち、対向面部５ａの背面側の背面部５ｂにおいて画像を表示する。
【００２３】
図２は、第２筐体５の分解斜視図である。なお、図２の紙面上方側は、図１（ｂ）の紙面手前側である。
【００２４】
第２筐体５においては、対向面部５ａ側（図２の紙面下方側）から順に、パネル２５、メイン表示装置２７、フロントケース２９、サブ表示装置３１及び通話用のスピーカ３３、回路基板３５、並びに、リアケース３７が積層されている。なお、一部の部品は並列に配置されている。サブ表示装置３１は、ホルダ４５によりフロントケース２９に保持されている。
【００２５】
第２筐体５は、フロントケース２９及びリアケース３７により構成されている。なお、パネル２５も第２筐体５の一部と捉えられてもよい。フロントケース２９（及びパネル２５）は、第２筐体５の対向面部５ａ、及び、外周面部５ｃ（図１（ｃ）等）のうち対向面部５ａ側の部分を構成している。リアケース３７は、第２筐体５の背面部５ｂ、及び、外周面部５ｃのうち背面部５ｂ側を構成している。
【００２６】
フロントケース２９とリアケース３７とは、閉状態において第２筐体５が第１筐体３に対して対向する方向（図２の上下方向）において対向している。フロントケース２９及びリアケース３７は、例えば、フロントケース２９に形成された複数の孔部４１Ａ〜４１Ｄに挿通された複数のネジ３９（一つのみ図示する）が、リアケース３７に形成された複数のネジボス４３Ａ〜４３Ｄに螺合されることにより、互いに固定される。
【００２７】
フロントケース２９とリアケース３７との間に配置される、スピーカ３３や回路基板３５等の電子部品は、フロントケース２９とリアケース３７とが互いに結合されることにより、フロントケース２９とリアケース３７とに挟持され、第２筐体５内に保持される。
【００２８】
フロントケース２９は、強度を保ちつつ薄型化を図るために、板金部材がいわゆるインサート成形によって一体形成されている。すなわち、フロントケース２９は、樹脂により形成された樹脂部５５と、樹脂部５５に埋設された板金部５７とを有している。
【００２９】
樹脂部５５は、主としてフロントケース２９の外周部分を構成している。板金部５７は、特に図示しないが、メイン表示装置２７側を凹とする矩形の箱状部分を有するととともに、その箱状部分の縁部から外周側に突出するフランジ部を有しており、フランジ部が樹脂部５５に埋設されるとともに、箱状部分の外周面が樹脂部５５により被覆されている。なお、板金部５７の箱状部分のメイン表示装置２７側の収納凹部２９ａには、メイン表示装置２７が嵌合する。また、板金部５７の図２において樹脂部５５から露出している部分は、箱状部分の底面である。
【００３０】
リアケース３７は、本体部材５９と、サブ表示部２１の窓部を構成する透光部材６１とを有している。
【００３１】
本体部材５９は、リアケース３７の大部分を構成している。本体部材５９は、例えば、フロントケース２９と概ね同等の大きさ及び形状を有している。本体部材５９は、例えば、遮光性の樹脂により形成されている。なお、上述のネジボス４３は、本体部材５９に一体成形されている。なお、ネジボスは、タップタイトネジ長さを確保できない場合には、インサートナットを用いて構成されてもよい。
【００３２】
透光部材６１は、本体部材５９に形成された、サブ表示装置３１を露出させるための不図示の開口を塞ぐ部材である。透光部材６１は、例えば、両面テープや接着剤等の適宜な固定部材により、本体部材５９の背面部５ｂ側（図２の紙面上方側）の表面に対して、外周部が固定されている。透光部材６１は、例えば、ガラスや透光性の樹脂により形成されている。なお、透光部材６１は、サブ表示装置３１の保護の観点から、比較的硬度の高い部材により形成されることが好ましい。透光部材６１は、例えば、本体部材５９よりも弾性係数が高い部材により形成されている。透光部材６１は、幅方向（図２の左上から右下への方向）において、本体部材５９の中央に配置されている。透光部材６１は、例えば、長さ方向（図２の左下から右上への方向）を長手方向とする矩形に形成されている。
【００３３】
パネル２５は、例えば、透光性を有する樹脂により形成された板状部材である。パネル２５は、メイン表示装置２７の表示面を覆う広さを有している。パネル２５は、例えば、両面テープや接着剤等の適宜な固定部材によりフロントケース２９の対向面部５ａ側（図２の紙面下方側）の面に固定されている。
【００３４】
メイン表示装置２７は、メイン表示部１９を構成している。メイン表示装置２７は、例えば、液晶ディスプレイや有機ＥＬディスプレイにより構成されている。メイン表示装置２７は、例えば、対向面部５ａの半分以上の面積を有するなど、比較的広い面積を有している。メイン表示装置２７は、フロントケース２９の収納凹部２９ａに嵌合される。
【００３５】
通話用のスピーカ３３は、放音面３３ａをフロントケース２９の内側面に（図２の紙面下方側に）向けるとともに、端子部３３ｂをリアケース３７側に向けて、フロントケース２９の内側面に形成されたスピーカ用凹部２９ｂに嵌合される。
【００３６】
回路基板３５は、例えば、硬質の樹脂をベースとしたプリント配線基板により構成されている。回路基板３５には、サブ表示装置３１及びホルダ４５が嵌合する開口部３５ｈが形成されている。回路基板３５には種々の電子部品が配置されており、電子回路が構成されている。例えば、メイン表示装置２７やサブ表示装置３１の動作を制御する制御回路が構成されている。回路基板３５のスピーカ３３側の端部には、スピーカ３３の端子部３３ｂと接続される端子４９が設けられている。
【００３７】
第２筐体５の連結部７側（図２の紙面右側）には、連結部７を構成する第１ヒンジ部品５１及び第２ヒンジ部品５３が設けられている。第１ヒンジ部品５１及び第２ヒンジ部品５３は、第１筐体３及び第２筐体５に挿通され、第１筐体３及び第２筐体５を回転軸ＲＡ回りに軸支する部品である。
【００３８】
図３（ａ）は、サブ表示装置３１の背面図（フロントケース２９側から見た図）である。図３（ｂ）は、サブ表示装置３１の側面図（図３（ａ）の紙面右側から見た図）である。ただし、図３（ａ）及び図３（ｂ）は、サブ表示装置３１の構成を概念的に示す図であり、一部の部材を大きく示すなどしている。
【００３９】
サブ表示装置３１は、例えば、液晶ディスプレイや有機ＥＬディスプレイ（ＯＬＥＤ）により構成されている。サブ表示装置３１は、サブ表示装置３１の表示面３１ａを構成する表示パネル６３と、表示パネル６３を駆動するためのドライバ６５と、ドライバ６５と回路基板３５とを接続するためのＦＰＣ（フレキシブルプリント配線板）６７とを有している。
【００４０】
表示パネル６３は、例えば、互いに対向する第１ガラス基板６９及び第２ガラス基板７１を有している。表示パネル６３は、例えば、特に図示しないが、第１ガラス基板６９及び第２ガラス基板７１の間に封入された液晶、第１ガラス基板６９及び第２ガラス基板７１の間に積層されたカラーフィルタ、共通電極、及び、表示電極、並びに、第１ガラス基板６９及び第２ガラス基板７１の外側に積層された偏光板等を有している。
【００４１】
表示パネル６３には、図３（ａ）に示すように、縦方向（ｙ方向、携帯電話機１の幅方向）に延びる複数のソースライン７５、及び、横方向（図３（ａ）のｘ方向、携帯電話機１の長さ方向）に延びる複数のゲートライン７７が設けられている（いずれも一部のみ示す。）。なお、ソースライン７５が横方向に延び、ゲートライン７７が縦方向の延びていてもよい。表示パネル６３は、複数のソースライン７５及び複数のゲートライン７７により形成されたマトリックスに対応して、縦横に配列された複数の画素部７３（一部のみ示す。）を有している。各画素部７３には、特に図示しないが、ソースライン７５及びゲートライン７７に接続され、各画素部７３の液晶に印加される電圧を制御するためのＴＦＴ、電荷を保持する蓄積容量等が設けられている。
【００４２】
ドライバ６５は、例えば、ＩＣにより、より具体的には、ＬＳＩ（Ｌａｒｇｅ−Ｓｃａｌｅ  Ｉｎｔｅｇｒａｔｅｄ  ｃｉｒｃｕｉｔ）により構成されている。ドライバ６５は、半導体チップ７９と、半導体チップ７９を内包するパッケージ８１とを有している。パッケージ８１は、例えば、セラミックや樹脂により形成されている。ドライバ６５は、ＦＰＣ６７を介して受信した信号に基づいて、複数のソースライン７５及び複数のゲートライン７７に対して選択的に電圧を印加することにより、複数の画素部７３の液晶を選択的に駆動する。
【００４３】
サブ表示装置３１は、いわゆるＣＯＧ式の表示装置として構成されている。すなわち、ドライバ６５は、表示パネル６３を構成する基板（ここでは、第１ガラス基板６９）に実装されている。具体的には以下のとおりである。
【００４４】
表示面３１ａの広さは、概ね、図３（ａ）の範囲ＲＧ１及び範囲ＲＧ３によって示される広さである。第１ガラス基板６９は、表示面３１ａよりも広く形成されている。具体的には、第１ガラス基板６９は、表示面３１ａと重なる第１領域部６９ａと、第１領域部６９ａに並び、表示面３１ａの外側に位置する第２領域部６９ｂとを有している。
【００４５】
第１領域部６９ａの広さは、例えば、表示面３１ａの広さと概ね同等であり、図３（ａ）の範囲ＲＧ１及び範囲ＲＧ３によって示される広さである。第２領域部６９ｂの広さは、図３（ａ）の範囲ＲＧ２及び範囲ＲＧ３によって示される範囲である。第２領域部６９ｂの広さは、適宜であるが、例えば、第１領域部６９ａの広さよりも小さい。第２領域部６９ｂは、第１領域部６９ａから、携帯電話機１の幅方向（ｙ方向）の一方側へ延在するように、第１領域部６９ａに対して並んでいる。第１ガラス基板６９は、例えば、矩形に形成されており、第１領域部６９ａ及び第２領域部６９ｂもそれぞれ矩形に形成されている。
【００４６】
ドライバ６５は、第２領域部６９ｂに設けられている。例えば、ドライバ６５は、第１ガラス基板６９に沿う方向であって第１領域部６９ａ及び第２領域部６９ｂの配列方向（ｙ方向）に直交する方向（ｘ方向）に延設されている。すなわち、ドライバ６５は、長尺状に形成されており、長手方向をｘ方向にして配置されている。ドライバ６５の長手方向の長さは、第１ガラス基板６９のｘ方向の長さよりも小さい。ドライバ６５は、例えば、ｘ方向において、第１ガラス基板６９の中央に配置されている。
【００４７】
ドライバ６５と第１ガラス基板６９とは、例えば、当接面が密着固定されている。例えば、ドライバ６５と第１ガラス基板６９とは、ドライバ６５と第１ガラス基板６９との間に異方導電性接着フィルムが配置され、これらが加圧及び加熱されることにより固定される。異方導電性接着フィルムは、熱硬化性樹脂と導電性粒子を主成分としている。なお、ドライバ６５の周囲が樹脂封止されてもよい。
【００４８】
ドライバ６５と第１ガラス基板６９とは固定されていることから、第１ガラス基板６９が撓むと、ドライバ６５も撓む。なお、ドライバ６５は、第１ガラス基板６９よりも曲げ変形に対して脆い性質を有している。すなわち、ドライバ６５が破損するたわみ角は、第１ガラス基板６９が破損するたわみ角よりも小さい。なお、破損は、例えば、脆性破壊、永久変形の発生、表示パネル６３やドライバ６５の機能に障害が生じる変形の発生をいう。
【００４９】
ＦＰＣ６７は、第２領域部６９ｂのうち、ドライバ６５の配置位置よりもさらに第１領域部６９ａから離間する部分に対して固定されている。ＦＰＣ６７は、例えば、ドライバ６５と同様に、異方導電性接着フィルムにより第１ガラス基板６９に対して固定されている。
【００５０】
図４は、図２と同一方向からホルダ４５を見た斜視図である。
【００５１】
ホルダ４５は、例えば、ゴムやエラストマー等の弾性部材又は樹脂等の剛性部材により形成されている。ホルダ４５は、サブ表示装置３１の外周を支持可能に枠状に形成されている。具体的には、以下のとおりである。
【００５２】
ホルダ４５は、枠状に形成された枠状基部８３と、枠状基部８３の内周面から突出する外周支持部８５とを有している。
【００５３】
枠状基部８３は、サブ表示装置３１が嵌合する形状及び大きさ、より具体的には、表示パネル６３の側面が嵌合する形状及び大きさに形成されている。すなわち、枠状基部８３は、内周面により概ね矩形の開口が形成されるように構成されている。ただし、携帯電話機１の幅方向の一方側（図４の紙面右下側）の部分は、サブ表示装置３１のＦＰＣ６７を延出させるために一部が開放されており、枠状基部８３には開放部８３ｂが形成されている。
【００５４】
外周支持部８５は、枠状基部８３の内周面のフロントケース２９側（図４の紙面下方側）から、枠状基部８３の開口中央側へ突出している。外周支持部８５は、枠状基部８３に表示パネル６３が嵌合されたときに、表示パネル６３の外周部のうち、第１領域部６９ａの外周となる部分（第１領域部６９ａの外周部自体を含んでも含まなくてもよい）に亘って延びている。すなわち、外周支持部８５は、矩形状の表示パネル６３の４辺のうち、第１領域部６９ａ及び第２領域部６９ｂの配列方向（図３のｙ方向）における第１領域部６９ａ側の１辺と、当該１辺に直交する２辺のうち、第１領域部６９ａ側の一部（図３（ａ）の範囲ＲＧ１により示される部分、第１領域部６９ａを当該直交する２辺へ投影したときに重なる部分）とに亘って設けられている。なお、外周支持部８５の根元には、サブ表示装置３１の外周部の凹凸（図３では不図示）に応じた段差が形成されている。
【００５５】
枠状基部８３には、複数の被係合部８３ｃが形成されている。複数の被係合部８３ｃは、例えば、枠状基部８３の一部が外周側へ凸となるように肉厚に形成されるとともに、その肉厚部に、ホルダ４５のフロントケース２９への対向方向（図４の紙面上下方向）に貫通する孔部が形成されることにより構成されている。
【００５６】
図２に示すように、サブ表示装置３１は、表示パネル６３がホルダ４５の枠状基部８３の開口に嵌合される。この際、表示パネル６３の外周部のうち、第１領域部６９ａの外周となる部分は、外周支持部８５により支持される。
【００５７】
ホルダ４５は、複数の被係合部８３ｃがフロントケース２９に形成された複数の係合部２９ｃと係合することにより、フロントケース２９への積層方向に直交する方向の位置決めがなされる。なお、複数の係合部２９ｃは、例えば、板金部５７の折り曲げ加工により形成された、サブ表示装置３１側に突出する突部である。
【００５８】
サブ表示装置３１と板金部５７との間には、シート４７、両面テープ８７、対向支持部材８９が配置されている。
【００５９】
シート４７は、例えば、絶縁性の樹脂により形成されている。シート４７は、概ねサブ表示装置３１と同等の大きさを有している。シート４７は、例えば、接着剤等の適宜な固定部材により、板金部５７に対して固定されている。
【００６０】
両面テープ８７は、第１領域部６９ａと重なる範囲に、第１領域部６９ａ以下の面積で設けられている。両面テープ８７は、シート４７に密着固定されるとともに、表示パネル６３に密着固定される。
【００６１】
対向支持部材８９は、例えば、シート状に形成されている。対向支持部材８９は、透光部材６１側からサブ表示装置３１側への方向へ見て、ドライバ６５の中央（より具体的にはドライバ６５の長手方向の中央）に位置し、ドライバ６５の中央の一部にのみ当接している。なお、対向支持部材８９の面積は、極力小さくされることが好ましい。対向支持部材８９は、例えば、硬質の樹脂、金属等の剛体により構成されている。なお、ゴム等の弾性部材により構成されていてもよい。
【００６２】
複数の係合部２９ｃ、シート４７、両面テープ８７、対向支持部材８９の位置から読解されるように、サブ表示装置３１は、第１領域部６９ａが携帯電話機１の幅方向中央に位置するように、全体としては幅方向の一方側に偏って配置される。従って、第１領域部６９ａは、リアケース３７のうち透光部材６１と重なる位置に、第２領域部６９ｂは、リアケース３７のうち本体部材５９と重なる位置に配置される。このため、本体部材５９の剛性が透光部材６１の剛性よりも低い場合には、リアケース３７に加えられた荷重は第２領域部６９ｂに加わり易くなっている。
【００６３】
図５は、図１（ｂ）のＶ−Ｖ線矢視方向における断面図である。図６は、図１（ｂ）のＶＩ−ＶＩ線矢視方向における断面図である。
【００６４】
図５に示すように、表示パネル６３は、第１領域部６９ａ側（図５の紙面左側）の外周部がホルダ４５の外周支持部８５により支持されている。しかし、図５及び図６に示すように、外周支持部８５は、第２領域部６９ｂ側（図５の紙面右側、図６の紙面手前側）には設けられていないことから、表示パネル６３の第２領域部６９ｂ側の外周部は、外周支持部８５によっては支持されていない。従って、ホルダ４５は、第１領域部６９ａとフロントケース２９（より具体的には板金部５７）との近接を規制する一方で、第２領域部６９ｂとフロントケース２９との近接を許容していることになる。換言すれば、ホルダ４５は、第２領域部６９ｂが第１領域部６９ａよりも筐体内部側（板金部５７側）へ変位可能となるように、表示パネル６３を支持していることになる。
【００６５】
また、表示パネル６３は、図５に示すように、第１領域部６９ａのうち中央側の部分や第２領域部６９ｂ側の部分が、シート４７及び両面テープ８７（図５では不図示）に支持されている。図５及び図６に示すように、ドライバ６５は、対向支持部材８９によって支持されている。具体的には、図６に示すように、ドライバ６５は、長手方向（図６の紙面左右方向）の中央において、対向支持部材８９により支持されている。
【００６６】
図５に示すように、表示パネル６３の第１領域部６９ａ側は、リアケース３７の透光部材６１とフロントケース２９の板金部５７によって挟持されている。なお、透光部材６１と表示パネル６３との間には、弾性シート等の適宜な部材が配置されてよい。また、表示パネル６３と板金部５７との間には、上述のように、ホルダ４５が介在している。図５及び図６に示すように、表示パネル６３の第２領域部６９ｂ側及びドライバ６５は、リアケース３７の本体部材５９とフロントケース２９の板金部５７によって挟持されている。なお、本体部材５９と表示パネル６３との間には、弾性シート等の適宜な部材が配置されてよい。また、ドライバ６５と板金部５７との間には、上述のように、対向支持部材８９が介在している。また、表示パネル６３は、第２領域部６９ｂ側を含む側面（図５における左右側面、及び図６における左右側面）が枠状基部８３の内壁面に当接されて、その平面方向（図５及び図６における左右方向）への移動がホルダ４５により規制されている。
【００６７】
図７は、携帯電話機１の信号処理系の構成を示すブロック図である。
【００６８】
携帯電話機１は、ＣＰＵ１０１、メモリ１０３、通信処理部１０５、音響処理部１０７及び画像処理部１０９を備えている。これら各部は例えば第１筐体３内の不図示の回路基板や第２筐体５内の回路基板３５等に設けられたＩＣにより構成されている。
【００６９】
ＣＰＵ１０１及びメモリ１０３は、操作部１３等の各種手段からの信号に基づいて所定の演算を行い、画像処理部１０９等の各種手段の制御を実行する制御部として機能する。
【００７０】
通信処理部１０５は、高周波回路を含んで構成されている。通信処理部１０５は、電波を利用した遠距離無線通信を行うために、ＣＰＵ１０１で処理された音響データ、画像データ等の各種データを変調して、アンテナ１１１を介して送信する。また、通信処理部１０５は、アンテナ１１１を介して受信した信号を復調してＣＰＵ１０１に出力する。
【００７１】
音響処理部１０７は、ＣＰＵ１０１からの音響データを電気信号に変換して通話用のスピーカ３３、着信等を報知するためのスピーカ１１５に出力する。スピーカ３３及びスピーカ１１５は、音響処理部１０７からの電気信号を音響に変換して出力する。一方、マイクロフォン１１７は、入力された音響を電気信号に変換して音響処理部１０７に出力する。音響処理部１０７は、マイクロフォン１１７からの電気信号を音響データに変換してＣＰＵ１０１に出力する。
【００７２】
画像処理部１０９は、ＣＰＵ１０１からの画像データを画像信号に変換してメイン表示部１９及びサブ表示部２１へ出力する。また、撮像部１５から出力される撮像信号（画像データ）を所定のフォーマットの画像データに変換してＣＰＵ１０１へ出力する。
【００７３】
本実施形態の携帯電話機１によれば、サブ表示装置３１は、第１領域部６９ａ及び第１領域部６９ａに並ぶ第２領域部６９ｂを有する第１ガラス基板６９を有し、表示面３１ａを構成する表示パネル６３と、第１ガラス基板６９の第２領域部６９ｂに設けられ、表示パネル６３を駆動するドライバ６５と、を有し、ホルダ４５は、第２領域部６９ｂが第１領域部６９ａよりも筐体内部側へ変位可能となるように、表示パネル６３を支持していることから、ドライバ６５に曲げモーメントが加えられることが抑制され、ドライバ６５の破損が防止される。具体的には以下のとおりである。
【００７４】
図８（ａ）は、比較例における、図６の断面に対応する断面を示す概略図である。
【００７５】
図８（ａ）の比較例では、第１ガラス基板６９の全周がホルダ２４５により支持されている。従って、図８（ａ）のように断面で考えると、第１ガラス基板６９は、第２領域部６９ｂにおいてもその長手方向（図８（ａ）の左右方向）で両端支持の状態となっている。リアケース３７に荷重Ｆが荷重点Ｐ１に加えられると、リアケース３７が撓み、リアケース３７を介してサブ表示装置３１にも荷重が加えられる。第１ガラス基板６９は、ホルダ２４５を介してフロントケース２９から両端に反力を受ける。従って、第１ガラス基板６９及びドライバ６５には、支点間（ホルダ２４５間）において曲げモーメントが加えられることになる。その結果、曲げに対して脆い性質を有するドライバ６５が破損するおそれがある。なお、曲げモーメントは、荷重点Ｐ１において最も大きい。また、荷重点Ｐ１における曲げモーメントが最も大きくなるのは、荷重点Ｐ１が両支点から最も離れるとき、すなわち、荷重点Ｐ１が両支点の中央に位置するときである。
【００７６】
しかし、図６に示したように、本実施形態のホルダ４５は、第２領域部６９ｂが第１領域部６９ａよりも筐体内部側へ変位可能となるように、表示パネル６３を支持している。換言すれば、第１領域部６９ａが、筐体内部側への変位を規制する反力をホルダ４５から受けている状態においても、第２領域部６９ｂは、筐体内部側への変位を規制する反力を受けず、若しくは、筐体内部側への変位を規制する反力が第１領域部６９ａよりも小さい。従って、第２領域部６９ｂにおいてフロントケース２９からの反力によって生じる曲げモーメントが抑制される。
【００７７】
特に、本実施形態では、ホルダ４５（外周支持部８５）は、表示パネル６３の、第１領域部６９ａ側の部分のみを支持していることから、例えば、ホルダ４５が第１領域部６９ａよりも第２領域部６９ｂに筐体内部側への変位を許容しているものの、ホルダに、第２領域部６９ｂのごく一部を支持する部分が形成されている態様や、ホルダに、第１領域部６９ａを支持する部分よりも弾性係数が低い、第２領域部６９ｂを支持する部分が形成されている態様等（なお、これらの態様も本発明に含まれる。）に比較して、第２領域部６９ｂがホルダ４５から受ける反力を確実に小さくすることができる。
【００７８】
ホルダ４５は、表示パネル６３の外周部のうち、第１領域部６９ａの外周となる部分を支持する外周支持部８５を有することから、表示パネル６３をバックライトにより照明することを可能としつつ、外周支持部８５により第１領域部６９ａのみをフロントケース２９側に支持することができる。
【００７９】
携帯電話機１は、背面部５ｂ側からサブ表示装置３１側の方向へ見てドライバ６５の中央に位置し、サブ表示装置３１の表示面３１ａとは反対側に当接する対向支持部材８９を有することから、ドライバ６５に曲げモーメントが加えられることが抑制される。具体的には、以下のとおりである。
【００８０】
図８（ｂ）は、本発明の変形例を示している。
【００８１】
この変形例では、本実施形態と同様に、サブ表示装置３１の第１領域部６９ａ（図８（ｂ）の紙面奥手側、図８（ｂ）では不図示）側部分のみを外周支持部８５によりフロントケース２９側に支持するホルダ４５（不図示）が設けられている。しかし、対向支持部材８９は設けられていない。
【００８２】
荷重Ｆが荷重点Ｐ１に加えられた場合、荷重Ｆが小さい場合は、本実施形態と同様に、サブ表示装置３１の第２領域部６９ｂ側部分はフロントケース２９から反力を受けない。しかし、荷重Ｆが大きい場合には、ドライバ６５の両端又は第１ガラス基板６９（第２領域部６９ｂ）の両端がフロントケース２９に当接し、サブ表示装置３１の第２領域部６９ｂ側部分は、支点をＰ２又はＰ３とする両端支持の状態になる。そして、支点間には曲げモーメントが生じる。
【００８３】
しかし、本実施形態では、図８（ｃ）に示すように、サブ表示装置３１の第２領域部６９ｂ側部分とフロントケース２９との間には、第２領域部６９ｂの中央において対向支持部材８９が介在している。従って、図８（ｂ）に比較して、サブ表示装置３１とフロントケース２９との近接が規制されている。その結果、ドライバ６５や第１ガラス基板６９の両端がフロントケース２９に当接することが防止され、すなわち、サブ表示装置３１が両端支持の状態となることが防止され、反力により曲げモーメントが生じることが防止される。荷重Ｆが更に大きい場合には、フロントケース２９の撓みが大きくなり、対向支持部材８９の存在によっても、ドライバ６５の両端又は第１ガラス基板６９の両端は、フロントケース２９に当接してしまう。しかし、この場合においても、荷重Ｆの多くは対向支持部材８９に配分され、図８（ｂ）に比較して、荷重点Ｐ１に発生する曲げモーメントは小さくなる。また、荷重点Ｐ１の位置が、対向支持部材８９からずれた位置である場合には、ドライバ６５に曲げモーメントが発生しうるが、ドライバ６５の両端において両端支持される場合に比較して、支点と荷重点Ｐ１との距離は小さく、曲げモーメントは小さい。
【００８４】
なお、対向支持部材８９の厚さ（ドライバ６５又は第１ガラス基板６９と、フロントケース２９との距離）は、携帯電話機１が耐えるべき荷重がドライバ６５の中央に加えられたときに、ドライバ６５又は第１ガラス基板６９の両端と、フロントケース２９とが当接しないように設定されることが好ましい。
【００８５】
ドライバ６５は、第１ガラス基板６９に沿う方向であって第１領域部６９ａと第２領域部６９ｂとの配列方向に直交する方向に延設され、ホルダ４５は、サブ表示装置３１の、ドライバ６５が延設される方向の両側且つ筐体内部側に空隙が形成されるように、表示パネル６３を支持していることから、反力による曲げモーメントが大きくなりやすい長尺状のドライバ６５は、両端側に反力が加えられることが極力抑制される。
【００８６】
ドライバ６５は、第１ガラス基板６９の筐体内部側に設けられていることから、ドライバ６５の大きさに関らず、表示面３１ａを背面部５ｂに近づけて、携帯電話機１の薄型化を図ることができる。
【００８７】
なお、以上の実施形態において、携帯電話機１は本発明の携帯端末装置の一例であり、背面部５ｂは本発明の透光面部の一例であり、透光部材６１の配置領域は透光性の領域の一例であり、ホルダ４５は本発明の支持部材の一例であり、板金部５７は本発明の支持板の一例である。
【００８８】
本発明は、以上の実施形態に限定されず、種々の態様で実施されてよい。
【００８９】
携帯端末装置は、携帯電話機に限定されない。例えば、携帯端末装置は、デジタルカメラ、ＰＤＡ、ノートパソコン、ゲーム機であってもよい。筐体は、開閉可能に構成された２つの筐体の一方に限定されない。例えば、筐体は、携帯端末装置全体の筐体を構成するものであってもよい。
【００９０】
表示装置は、液晶ディスプレイに限定されない。例えば、表示装置は、有機ＥＬディスプレイであってもよい。また、表示装置は、折り畳み式の筐体の背面部に表示面を対向させるものに限定されない。例えば、実施形態におけるメイン表示装置２７に本発明の支持構造が適用されてもよい。また、表示装置は、折り畳み式以外の形態の筐体を有するものであってもよい。
【００９１】
支持部材は、表示装置の外周を保持する枠状のものに限定されない。例えば、表示装置の表示面とは反対側の面に対して、第１領域部の全範囲に亘って当接するものであってもよい。また、支持部材は、第２領域部を全く支持しないものに限定されず、第２領域部の一部を支持してもよい。
【００９２】
表示装置の、第２領域部側且つ筐体内部側には、空隙が形成されていなくてもよい。例えば、実施形態において、ホルダ４５や対向支持部材８９よりも弾性係数の低い部材が、塵の侵入防止等を目的として配置されていてもよい。支持部材は、筐体の一部（フロントケース）に支持されるものに限定されない。換言すれば、支持板は、筐体の一部でなくともよい。例えば、支持部材は、支持板としての回路基板に支持されるものであってもよい。
【００９３】
対向支持部は、ドライバ（ＩＣ）の中央側部分に位置すればよく、厳密な意味での中央に位置する必要は無い。例えば、ドライバを表示パネルに沿う方向の一方向に３分割したときの、中央側部分に設けられていても、ドライバが両端支持となる状態に比較すれば、ドライバに生じる曲げモーメントは抑制される。
【００９４】
破損が防止される対象である、ドライバ（ＩＣ）は、基板（実施形態では第１ガラス基板６９）に対して筐体内部側に設けられるものに限定されない。基板に対して筐体外部側に設けられてもよい。また、ドライバ（ＩＣ）が設けられる基板は、ガラス基板に限定されない。例えば、基板は樹脂基板でもよい。また、表示装置の構成によっては、基板は、透光性を有していなくてもよい。
【図面の簡単な説明】
【００９５】
【図１】本発明の実施形態の携帯電話機の外観を示す図。
【図２】図１の携帯電話機の第２筐体の分解斜視図。
【図３】図２の第２筐体に配置されるサブ表示装置を示す概略図。
【図４】図３のサブ表示装置を保持するホルダの斜視図。
【図５】図１（ｂ）のＶ−Ｖ線矢視方向の断面図。
【図６】図１（ｂ）のＶＩ−ＶＩ線矢視方向の断面図。
【図７】図１の携帯電話機の信号処理系の構成を示すブロック図。
【図８】図１の携帯電話機の効果を説明する図。
【符号の説明】
【００９６】
１…携帯電話機（携帯端末装置）、５…第２筐体（筐体）、５ｂ…背面部（透光面部）、３１…サブ表示装置（表示装置）、３１ａ…表示面、４５…ホルダ（支持部材）、６３…表示パネル、６５…ドライバ（ＩＣ）、６９…第１ガラス基板（基板）、６９ａ…第１領域部、６９ｂ…第２領域部。
【図１】
2008294651.tif 000003
【図２】
2008294651.tif 000004
【図３】
2008294651.tif 000005
【図４】
2008294651.tif 000006
【図５】
2008294651.tif 000007
【図６】
2008294651.tif 000008
【図７】
2008294651.tif 000009
【図８】
2008294651.tif 000010